(57)【要約】【解決手段】所定の間隔を置いて配置された堰板４としての木質系セメント板Ａ間に生コンクリートを充填し硬化させることにより形成された積層体と、該積層体を構成する前記木質系セメント板Ａに打ち付けられた無垢の木材片ｗ１とからなる建築物用壁構造に関するものである。【効果】コンクリートを挟持した木質系セメント板に、無垢の木材片を打ち付けて建築物用壁構造を構成したことにより、コンクリートに、グラスウール等の断熱材を貼り付けた従来の建築物用壁構造と同等の或いはそれ以上の断熱性能を有することができる。【選択図】図１７
2004027501.tif 000002
【特許請求の範囲】
【請求項１】
所定の間隔を置いて配置された堰板としての木質系セメント板間に生コンクリートを充填し硬化させることにより形成された積層体と、該積層体を構成する前記木質系セメント板に打ち付けられた無垢の木材片とからなることを特徴とする建築物用壁構造。
【発明の詳細な説明】
【０００１】
【発明の属する技術分野】
本発明は、建築物の外壁や内壁や仕切り壁等の建築物用壁構造に関するものである。
【０００２】
【従来の技術】
従来、コンクリートを打設硬化後、型枠材を外し、その後、コンクリート面に断熱材を貼り付けるとともに、仕上げ材を取り付けるための下地（骨組み）を組み、下地に石膏ボード等を取り付け、その後、石膏ボード等に壁紙を貼ったり、下地に木板を留め付けることにより組み立てられた建築物用壁構造が知られている。
【０００３】
また、コンクリートに対して、断熱材を外気側に取り付ける外断熱方式は、コンクリートに対して、断熱材を室内側に取り付ける内断熱方式に比べて、断熱性能が優れているが、コンクリートの外気面側に、下地（骨組み）を組むことが難しく、また、コストが多く掛かってしまうことから、従来、多くの場合、内断熱方式が採用されている。
【０００４】
【発明が解決しようとする課題】
上述した従来の建築物用壁構造は、コンクリート面に断熱材を貼り付けるとともに、仕上げ材を取り付けるための下地（骨組み）を組み、下地に石膏ボード等を取り付け、その後、石膏ボード等に壁紙を貼ったり、下地に木板を留め付けることにより組み立てられるために、建築物用壁構造の施工に長時間を要するとともに、施工コストが増加するという問題があった。
【０００５】
上述したように、コンクリートに対して、断熱材を外気側に取り付ける場合（外断熱方式を採用する場合）には、下地（骨組み）を組むことが難しく、また、コストが増加するという問題があった。
【０００６】
本発明の目的は、上述した従来の建築物用壁構造が有する課題を解決することにある。
【０００７】
【課題を解決するための手段】
本発明は、上述した目的を達成するために、所定の間隔を置いて配置された堰板としての木質系セメント板間に生コンクリートを充填し硬化させることにより形成された積層体と、該積層体を構成する前記木質系セメント板に打ち付けられた無垢の木材片とから建築物用壁構造を構成したものである。
【０００８】
【実施例】
以下に、本発明の実施例について説明するが、本発明の趣旨を越えない限り何ら、本実施例に限定されるものではない。
【０００９】
先ず最初に、一例としての建築物用壁構造の施工方法について説明する。
【００１０】
図１及び図２を用いて、複数の堰板を縦横に並設して、型枠を組み立てる際に使用される組立金具Ｋとレベル調整部材Ｈについて説明する。
【００１１】
組立金具Ｋは、平板部ｋ１ａと該平板部ｋ１ａの両端から平板部ｋ１ａに対して垂直に、且つ、互いに平行に延在する平行板部ｋ１ｂとからなるコの字状部ｋ１と、該コの字状部ｋ１を形成する平行板部ｋ１ｂの端部から、平行板部ｋ１ｂに対して垂直に、且つ、互いに遠ざかる方向に延在する取付板部ｋ２とにより構成されており、一対の取付板部ｋ２には、螺子やビスや釘等の適当な固着具が挿通可能な透孔ｋ２ａが、上方と下方に、それぞれ適当数、穿設されている。組立金具Ｋは、一例として、帯状金属板を、適当に折り曲げることにより形成される。なお、組立金具Ｋは、図１に示されているように、コの字状部ｋ１を構成する平板部ｋ１ａと平行板部ｋ１ｂ及び取付板部ｋ２が、垂直になるように、後述する堰板に取着される。
【００１２】
レベル調整部材Ｈは、垂直部ｈ１と、垂直部ｈ１の上端から水平方向に延在する上部水平部ｈ２と、垂直部ｈ１の下端から水平方向に、且つ、上部水平部ｈ２と同方向に延在する下部水平部ｈ３とを有しており、垂直部ｈ１と上部水平部ｈ２と下部水平部ｈ３とにより、略コの字状の支持枠Ｈ’が構成されている。上部水平部ｈ２及び下部水平部ｈ３とには、平面から見て重なるように、透孔ｈ２ａ、ｈ３ａがそれぞれ穿設されており、また、上部水平部ｈ２の下面には、上部水平部ｈ２に穿設された透孔ｈ２ａと一致するような螺子孔ｈ４ａを有するナットｈ４が取着されている。ｈ５は、ネジ棒であり、ネジ棒ｈ５は、上部水平部ｈ２の下面に取着されたナットｈ４の螺子孔ｈ４ａに螺合されているとともに、下部水平部ｈ３に穿設された透孔ｈ３ａに挿通されている。また、垂直部ｈ１には、螺子やビスや釘等の適当な固着具が挿通可能な透孔ｈ１ａが、適当数、穿設されている。
【００１３】
次に、上述した組立金具Ｋやレベル調整部材Ｈを用いた型枠の組み立てについて説明する。
【００１４】
１は、角材からなる桟木であり、桟木１は、予め、床スラブ２の上面に墨出しされた線に沿って配置されるとともに、釘やビス等の適当な固着具（なお、本実施例には、固着具としてビスが用いられている例が示されているので、以下においては、固着具としてのビスには、符号３を使用した。）を桟木１に打ち込むことにより、床スラブ２に取り付けられる。図１には、一例として、２本の桟木１ａ、１ｂの端部を揃えてＬ字状に形成された２組の桟木部材Ｂ１を構成する一方の角材１ｂを、所定の間隔を置いて平行に配置するとともに、上記の２組の桟木部材Ｂ１を構成するもう一方の桟木１ａに、所定の間隔を置いて平行に、桟木１ｃを直線状に配置した桟木部材Ｂ２が、床スラブ２に取着された例が示されている。
【００１５】
型枠を組み立てるために、横方向及び縦方向に配列される堰板は、高さ、幅及び厚さが同一に形成されており、堰板としては、木毛や木片や木材チップ等の木質材料とセメントとからなる木質系セメント板（木毛セメント板や木片セメント板）を使用する。
【００１６】
先ず最初に、２枚の堰板４ａ、４ａを、一方の堰板４ａの垂直端面４ａ１が、他方の堰板４ａの側面４ａ３に当接するように接触させて、平面形状がＬ字状に配置するとともに、２枚の堰板４ａ、４ａの上下端面を揃えた後、ビスや釘等の適当な固着具を用いて、互いに固定する。
【００１７】
上述したようにしてＬ字状に組み立てられた２枚の堰板４ａ、４ａの互いに当接していない側の垂直端面４ａ１付近で、且つ、桟木１が位置する側面に、２つのレベル調整部材Ｈ１、Ｈ２を配置するとともに、レベル調整部材Ｈ１、Ｈ２の垂直部ｈ１に穿設された透孔ｈ１ａに、ビス３を挿通し、堰板４ａ、４ａに打ち込むことにより、２つのレベル調整部材Ｈ１、Ｈ２を、堰板４ａ、４ａに取着する。同様のレベル調整部材部材Ｈ３を、Ｌ字状に組み立てられた堰板４ａ、４ａの一方の堰板４ａの隅部付近で、且つ、桟木１ｂが位置する側面に、１つのレベル調整部材Ｈ３を配置するとともに、レベル調整部材Ｈ３の垂直部ｈ１に穿設された透孔ｈ１ａに、ビス３を挿通し、堰板４ａに打ち込むことにより、レベル調整部材Ｈ３を、堰板４ａに取着する。上記のようにして堰板４ａ、４ａに取着されたレベル調整部材Ｈ１、Ｈ２、Ｈ３は、ネジ棒ｈ１の下端が、床スラブ２に当接するか、或いは、接近するように、堰板枠４ａ、４ａに取着される。
【００１８】
上述したようにして堰板４ａ、４ａに取着されたレベル調整部材Ｈ１、Ｈ２、Ｈ３の何れかのネジ棒ｈ１を、適当に回転させることにより、下端が床スラブ２に当接している状態のネジ棒ｈ１に対して支持枠Ｈ’を上下動させて、支持枠Ｈ’に取着されている堰板４ａ、４ａを上下動させるとともに、堰板４ａ、４ａの上端面４ａ２に載置される適当な水準器を用いて、堰板４ａ、４ａのレベル出しを行う。その後、上述したと同様に、ビス３を用いて、角部を構成する堰板４ａ、４ａを、桟木１ａ、１ｂに取着する。このようにして、図４に示されているように、２枚の堰板４ａ、４ａにより、型枠の角部が組み立てられることになる。このようなレベル調整部材Ｈ１、Ｈ２、Ｈ３を使用することにより、堰板４ａ、４ａの微妙な上下動を行うことができ、従って、精度の向上したレベル出しを行うことができるとともに、作業員のレベル出し作業の作業性が向上する。上記のネジ棒ｈ１の回転は、ネジ棒ｈ１の上端部を、公知のネジ棒回転工具で把持して行うことが好ましい。
【００１９】
上述したように、Ｌ字状に配置された角部を構成する２枚の堰板４ａ、４ａを、桟木１ａ、１ｂに固定した後、角部を構成する一方の堰板４ａに、別の堰板４ｂを並設するとともに、角部を構成する堰板４ａの一方の垂直端面４ａ１と堰板４ｂの一方の垂直端面４ｂ１とが当接し、且つ、角部を構成する堰板４ａの上端面４ａ２と堰板４ｂの上端面４ｂ２とが面一になるように配置し、この状態で、組立金具Ｋ１が、角部を構成する堰板４ａの垂直端面４ａ１と堰板４ｂの垂直端面４ｂ１との当接線ｆ１の上端から、略半分ほど突出するように配置し、その後、組立金具Ｋ１の取付板部ｋ２に穿設された下方に位置する透孔ｋ２ａにビス３を挿通するとともに堰板４ａ、４ｂに打ち込んで、組立金具Ｋ１により、角部を構成する堰板４ａと該堰板４ａに並設された堰板４ｂとを連結する。次いで、角部を構成する堰板４ａが並設されていない側の堰板４ｂの垂直端面４ｂ１付近で、且つ、桟木１ｂが位置する側面に、１つのレベル調整部材Ｈ４を配置するとともに、レベル調整部材Ｈ４の垂直部ｈ１に穿設された透孔ｈ１ａに、ビス３を挿通するとともに、堰板４ｂに打ち込むことにより、レベル調整部材Ｈ４を、堰板４ｂに取着する。次いで、堰板４ｂに取着されたレベル調整部材Ｈ４のネジ棒ｈ１を、適当に回転させることにより、下端が床スラブ２に当接している状態のネジ棒ｈ１に対して支持枠Ｈ’を上下動させて、支持枠Ｈ’が取着されている堰板４ｂを上下動させるとともに、堰板４ｂの上端面４ｂ２に載置される適当な水準器を用いて、堰板４ｂのレベル出しを行い、その後、上述したと同様に、ビス３を用いて、図５に示されているように、角部を構成する一方の堰板４ａに並設された堰板４ｂを、桟木１ｂに取着する。また、組立金具Ｋ２を、堰板４ｂの垂直端面４ｂ１及び上端面４ｂ２から略半分飛び出るように、角部を構成する堰板４ａと反対側に位置する堰板４ｂの上部角部に配置し、その後、組立金具Ｋ２の取付板部ｋ２に穿設された下方に位置する透孔ｋ２ａにビス３を挿通するとともに堰板４ｂに打ち込んで、組立金具Ｋ２を堰板４ｂの上部角部に取着する。
【００２０】
次に、上述した堰板４ｂに、別の堰板４ｃを並設するとともに、堰板４ｂの垂直端面４ｂ１と堰板４ｂに並設された堰板４ｃの垂直端面４ｃ１とが当接し、且つ、堰板４ｂの上端面４ｂ２と堰板４ｃの上端面４ｃ２とが面一になるように配置し、その後、堰板４ｂに取着されている組立金具Ｋ２の取付板部ｋ２に穿設された下方に位置する透孔ｋ２ａに、ビス３を挿通するとともに堰板４ｃに打ち込んで、組立金具Ｋ２により、堰板４ｂと堰板４ｃとを連結する。次いで、堰板４ｂが並設されていない側の堰板４ｃの垂直端面４ｃ１付近で、且つ、桟木１ｂが位置する側面に、１つのレベル調整部材Ｈ５を配置するとともに、レベル調整部材Ｈ５の垂直部ｈ１に穿設された透孔ｈ１ａに、ビス３を挿通するとともに、堰板４ｃに打ち込むことにより、レベル調整部材Ｈ５を、堰板４ｃに取着する。次いで、堰板４ｃに取着されたレベル調整部材Ｈ５のネジ棒ｈ１を、適当に回転させることにより、下端が床スラブ２に当接している状態のネジ棒ｈ１に対して支持枠Ｈ’を上下動させて、支持枠Ｈ’が取着されている堰板４ｃを上下動させるとともに、堰板４ｃの上端面４ｃ２に載置される適当な水準器を用いて、堰板４ｃのレベル出しを行い、その後、上述したと同様に、ビス３を用いて、図６に示されているように、堰板４ｂに並設された堰板４ｃを、桟木１ｂに取着する。また、組立金具Ｋ３を、堰板４ｃの垂直端面４ｃ１及び上端面４ｃ２から略半分飛び出るように、堰板４ｂと反対側に位置する堰板４ｃの上部角部に配置し、その後、組立金具Ｋ３の取付板部ｋ２に穿設された下方に位置する透孔ｋ２ａにビス３を挿通するとともに堰板４ｃに打ち込んで、組立金具Ｋ３を堰板４ｃの上部角部に取着する。
【００２１】
更に、堰板４ｃに、別の堰板４ｄを配置するとともに、堰板４ｃに取着されている組立金具Ｋ３により、堰板４ｃと堰板４ｄを連結し、更に、堰板４ｄにレベル調整部材Ｈを取着し、堰板４ｄのレベル出しを行った後、堰板４ｄを、桟木１ｂに取着する。このようにして、順次、適当数の堰板４を並設する。同様に、角部を構成するもう一方の堰板４ａにも、順次、堰板４を並設する。
【００２２】
上述したようにして、一段目の堰板４が、桟木１ａ、１ｂに取着されることになるが、一段目の堰板４ａ、４ｂ、４ｃ、４ｄ・・・は、レベル調整部材Ｈにより、その上端面のレベル出しが行われているので、一段目の堰板４ａ、４ｂ、４ｃ、４ｄ・・・の上端面に載置される二段目の堰板４’のレベル出しを行う必要がない。また、一段目の堰板４ａ、４ｂ、４ｃ、４ｄ・・・に取着されている組立金具Ｋ１、Ｋ２、Ｋ３・・・は、その略半分が、一段目の堰板４ａ、４ｂ、４ｃ、４ｄ・・・の上端面４ａ２、４ｂ２、４ｃ２、４ｄ２・・・から上方に飛び出しているので、二段目の堰板４’を、一段目の堰板４ａ、４ｂ、４ｃ、４ｄ・・・の上端面４ａ２、４ｂ２、４ｃ２、４ｄ２・・・に載置した後、組立金具Ｋ１、Ｋ２、Ｋ３・・・の取付板部ｋ２に穿設された上方に位置する透孔ｋ２ａにビス３を挿通するとともに二段目の堰板４’に打ち込んで、図８に示されているように、二段目の堰板４’と一段目の堰板４ａ、４ｂ、４ｃ、４ｄ・・・とを、組立金具Ｋにより連結する。また、隣接する二段目の堰板４’の垂直端面同士が当接して形成される当接線ｆ’の上端から、組立金具Ｋが、略半分ほど突出するように、組立金具Ｋを配置するとともに、組立金具Ｋの取付板部ｋ２に穿設された下方に位置する透孔ｋ２ａにビス３を挿通するとともに二段目の堰板４’に打ち込んで、二段目の堰板４’に、組立金具Ｋを取着しておく。
【００２３】
上述したように、一段目の堰板４ａ、４ｂ、４ｃ、４ｄ・・・に、組立金具Ｋ１、Ｋ２、Ｋ３・・・を介して連結された二段目の堰板４’の上端面に、必要に応じて、三段目の堰板４”を載置するとともに、二段目の堰板４’に取着されている組立金具Ｋの取付板部ｋ２に穿設された上方に位置する透孔ｋ２ａにビス３を挿通するとともに三段目の堰板４”に打ち込んで、図９に示されているように、三段目の堰板４”と二段目の堰板４’とを、組立金具Ｋにより連結する。また、三段目の堰板４”の上に、更に、四段目の堰板４を載置する場合には、上述したと同様に、隣接する三段目の堰板４”の垂直端面同士が当接して形成される当接線の上端から、組立金具Ｋが、略半分ほど突出するように、組立金具Ｋを配置するとともに、組立金具Ｋの取付板部ｋ２に穿設された下方に位置する透孔ｋ２ａにビス３を挿通するとともに三段目の堰板４”に打ち込んで、三段目の堰板４”に、組立金具Ｋを取着することになるが、三段目の堰板４”の上に、四段目の堰板４を載置しない場合には、図９に示されているように、組立金具Ｋは、三段目の堰板４”の上端部に取着される回り縁部材を考慮して、隣接する三段目の堰板４”の垂直端面同士が当接して形成される当接線ｆ”の上端から下がった位置に取着される。
【００２４】
上述したようにして、Ｌ字状に形成された２組の桟木部材Ｂ１を構成する一方の桟木部材Ｂ１に、一段目の堰板４ａ、４ｂ、４ｃ、４ｄ・・・、二段目の堰板４’及び三段目の堰板４”を、横方向及び縦方向に並設するとともに、組立金具Ｋにより連結するが、このように堰板４を組み立てている間は、堰板４が倒壊しないように、適宜、木材等で、仮支えをしておく。また、上下方向に配置された組立金具Ｋのコの字状部ｋ１を構成する平板部ｋ１ａと平行板部ｋ１ｂとにより形成される凹部Ｋ’が、平面的に見て略一致するように、組立金具Ｋは、堰板４に取着される。
【００２５】
次に、図１０を用いて、相対する堰板４間に配設されるスペーサーＳについて説明する。
【００２６】
ｓ１は、両端部にネジ溝が刻設された軸であり、軸ｓ１の両端には、ネジ孔ｓ２’が穿設されたスペーサー筒体ｓ２が螺合されている。ｓ３は、スペーサー筒体ｓ２の内側に螺合された止めナットである。ｓ４は、軸ｓ１の反対側から、スペーサー筒体ｓ２のネジ孔ｓ２’に螺合されたネジ軸であり、ｓ５は、ネジ軸ｓ４に螺合されるナットである。
【００２７】
上述した構成を有するスペーサーＳを、堰板４間に配置するには、図９に示されているように、相対する堰板４の一方の堰板４が、横方向及び縦方向に組み立てられた時点で、一方の堰板４に形成された透孔５に、スペーサー筒体ｓ２のネジ孔ｓ２’に螺合されたネジ軸ｓ４を、スペーサー筒体ｓ２が堰板４に当接するまで挿通し、その後、堰板４から突き出たネジ軸ｓ４にナットｓ５を螺合して、スペーサー筒体ｓ２とナットｓ５により、堰板４を挟持する。次いで、後述するようにして、上記の堰板４に相対するように配置された堰板４に穿設された透孔５に、もう一方のスペーサー筒体ｓ２のネジ孔ｓ２’に螺合されたネジ軸ｓ４を挿通し、その後、同様に、ネジ軸ｓ４にナットｓ５を螺合して、スペーサー筒体ｓ２とナットｓ５により、もう一方の堰板４を挟持する。このようにして、相対する堰板４間の適当な箇所にスペーサーＳを配設する。なお、後述するように、堰板４間に、生コンクリートを充填し、生コンクリートがある程度、固化した後に、堰板４の外側に突出しているナットｓ５及びネジ軸ｓ４を取り外す。
【００２８】
次いで、上述したようにして、Ｌ字状に形成された２組の桟木部材Ｂ１を構成するもう一方の桟木部材Ｂ１に、一段目の堰板４ａ、４ｂ、４ｃ、４ｄ・・・、二段目の堰板４’及び三段目の堰板４”を、横方向及び縦方向に並設するとともに、組立金具Ｋにより連結する。更に、Ｌ字状に形成された２組の桟木部材Ｂ１を構成する桟木１ａに、所定の間隔を置いて平行に、且つ、直線状に配置された桟木部材Ｂ２を構成する桟木１ｃに、上述したと同様にして、堰板４を並設する。例えば、図４に示されているように、上述した角部を構成する２枚の堰板４ａ、４ａのうち、２つのレベル調整部材Ｈ１、Ｈ３が取着された堰板４ａのように、１つの堰板４に、２つのレベル調整部材Ｈ１、Ｈ３を取着する。このように、２つのレベル調整部材Ｈ１、Ｈ３が取着された堰板４を、桟木部材Ｂ２を構成する桟木１ｃに沿って配置し、次いで、上述したと同様に、レベル調整部材Ｈ１、Ｈ３のネジ棒ｈ１を、適当に回転させることにより、下端が床スラブ２に当接している状態のネジ棒ｈ１に対して支持枠Ｈ’を上下動させて、支持枠Ｈ’に取着されている堰板４を上下動させるとともに、堰板４の上端面に載置される適当な水準器を用いて、堰板４のレベル出しを行い、その後、上述したと同様に、ビス３を用いて、堰板４を、桟木１ｃに取着する。その後、角部を構成する堰板４ａに、堰板４ｂ、４ｃ、４ｄ・・・を並設するとともに、組立金具Ｋ１、Ｋ２、Ｋ３・・・により連結したと同様の順序により、上記の桟木部材Ｂ２を構成する桟木１ｃに取着された堰板４に、適当数の堰板４を並設し連結する。
【００２９】
上述したようにして、Ｌ字状に形成された２組の桟木部材Ｂ１を構成する一方の桟木部材Ｂ１に、一段目の堰板４ａ、４ｂ、４ｃ、４ｄ・・・を取着し、更に、一段目の堰板４ａ、４ｂ、４ｃ、４ｄ・・・に、二段目の堰板４’及び三段目の堰板４”を、横方向及び縦方向に並設するとともに、組立金具Ｋ１、Ｋ２、Ｋ３・・・により連結し、次いで、一段目の堰板４ａ、４ｂ、４ｃ、４ｄ・・・、二段目の堰板４’及び三段目の堰板４”にスペーサーＳを取り付ける。また、Ｌ字状に形成された２組の桟木部材Ｂ１を構成するもう一方の桟木部材Ｂ１に、同様に、一段目の堰板４ａ、４ｂ、４ｃ、４ｄ・・・を取着し、更に、一段目の堰板４ａ、４ｂ、４ｃ、４ｄ・・・に、二段目の堰板４’及び三段目の堰板４”を並設し連結するとともに、桟木部材Ｂ２を構成する桟木１ｃに、堰板４を、適当数、並設し連結した後、上下方向に配置され平面的に見て略一致する取着された組立金具Ｋの凹部Ｋ’に、図１１に示されているように、縦端太６ａを挿入する。
【００３０】
次に、図１２〜図１４を用いて、型枠を補強するためのフォームタイＮについて説明する。
【００３１】
フォームタイＮは、先端にフランジｎ１を有するフランジ付きネジ棒ｎ２と、横端太６ｂを保持するための保持金具ｎ３とを有している。そして、フランジ付きネジ棒ｎ２のフランジｎ１側の端部には、上述したスペーサーＳを構成するスペーサー筒体ｓ２のネジ孔ｓ２’に螺合されたネジ軸ｓ４が螺合可能なネジ孔ｎ１’が形成されている。また、保持金具ｎ３は、方形状の金属製板材の両端部を、同じ方向に略垂直に折り曲げて形成された係止片ｎ４を有しているとともに、保持金具ｎ３の中央部ｎ５には、フランジ付きネジ棒ｎ２が挿入可能な透孔ｎ６が穿設されている。
【００３２】
一例として、堰板４、４を補強するためには、組み立てられた堰板４、４に穿設された透孔５から突き出ている、スペーサー筒体ｓ２のネジ孔ｓ２’に螺合されたネジ軸ｓ４に、フォームタイＮのフランジ付きネジ棒ｎ２に形成されたネジ孔ｎ１’を螺合させて、スペーサーＳにフランジ付きネジ棒ｎ２を取り付ける。このようにして、補強したい堰板４部分に位置するスペーサーＳに、適当数のフランジ付きネジ棒ｎ２を取り付ける。次いで、２本の横端太６ｂを、フランジ付きネジ棒ｎ２を挟んで水平状態に並設するとともに、保持金具ｎ３の透孔ｎ６にフランジ付きネジ棒ｎ２を挿通する。この際、保持金具ｎ３の係止片ｎ４が、それぞれ、２本の横端太６ｂの上下壁面６ｂ１、６ｂ２に当接するように構成されている。次いで、フランジ付きネジ棒ｎ２にナットｎ７を螺合させて、保持金具ｎ３と堰板４に垂直状に取着された縦端太６ａとにより、水平状に並設された２本の横端太６ｂを挟持すると同時に、横端太６ｂにより、縦端太６ａを、堰板４に押し付ける。このようにして、堰板４の支持を更に補強する。なお、横端太６ｂが配設された後は、組立金具Ｋは不用であるので、横端太６ｂが配設された後で、生コンクリートが打設される前に、組立金具Ｋを取り外すこともできる。
【００３３】
図１５には、上述したようにして配設された縦端太６ａ間に、更に、追加縦端太６ａ１が配設された例が示されている。一例として、図１５には、二段目の堰板４’と三段目の堰板４”とに跨がるように、組立金具Ｋ４を取着し、該組立金具Ｋ４の凹部Ｋ’に、追加縦端太６ａ１を挿入し、更に、型枠を補強するようにした例が示されている。
【００３４】
上述したようにして組み立てられた型枠を構成する堰板４間に形成された空間に、公知のように、生コンクリートを充填する。そして、生コンクリートが硬化した後に、桟木１や組立金具Ｋや縦端太６ａや横端太６ｂや追加縦端太６ａ１を取り外す。本発明においては、上述した堰板４として、木毛や木片や木材チップ等の木質材料とセメントとからなる木質系セメント板（木毛セメント板や木片セメント板）が使用されており、堰板４として、木質系セメント板を使用した場合には、堰板４間に充填された生コンクリートのセメント液が、木質系セメント板に浸入し、生コンクリートが硬化した後、木質系セメント板の堰板４とコンクリートとの密着性が良好であるので、コンクリートから、木質系セメント板の堰板４を剥離しないで残しておく。特に、木質系セメント板は、ビスや釘等の固着具に対する保持力が大きし、また、断熱性能や遮音性能が高いので、木質系セメント板としての堰板４を、そのままにしておくことが好ましい。
【００３５】
特に、木質系セメント板としては、木毛セメント板を使用することが好ましいく、特に、嵩比重が、０．７以上である曲げ強度や破壊強度の大きな硬質木毛セメント板を用いると、ビスや釘等の固着具に対する保持力や曲げ強度や剪断強度が著しく向上する。
【００３６】
なお、上述した実施例においては、角部を構成する堰板４ａ、４ａは、堰板４ａ、４ａに取着されたレベル調整部材Ｈ１、Ｈ２、Ｈ３により、レベル出しが行われており、また、使用される堰板４は、同一形状を有しているので、角部を構成する堰板４ａ、４ａに並設される堰板４ｂ、４ｃ、４ｄ・・・の各堰板４ｂ、４ｃ、４ｄ・・・に、レベル調整部材Ｈを取着することなく、単に、角部を構成する堰板４ａと該堰板４ａに並設される堰板４の垂直端面と上端面を揃えれば、充分なレベル出しが行われるので、必ずしも、角部を構成する堰板４ａ、４ａに並設される堰板４ｂ、４ｃ、４ｄ・・・の各堰板４ｂ、４ｃ、４ｄ・・・の全部に、レベル調整部材Ｈを取着する必要はない。角部を構成する堰板４ａ、４ａに並設される堰板４ｂ、４ｃ、４ｄ・・・の幾つかを、それらの垂直端面と上端面を揃えた後、組立金具Ｋにより連結し、その後、複数の堰板４ｂ、４ｃ、４ｄ・・・の１つにレベル調整部材Ｈを取着し、該レベル調整部材Ｈにより、複数の堰板４ｂ、４ｃ、４ｄ・・・のレベル出しを行うように構成することもできる。
【００３７】
上述したように、横方向及び縦方向に並設された堰板４を、コの字状部ｋ１を有する組立金具Ｋにより連結するとともに、組立金具Ｋの凹部Ｋ’に、縦端太６ａを挿入し、その後、フォームタイＮにより、横端太６ｂを配設し、型枠を組み立てるようにしたので、堰板の４つの周辺に角材を取り付け、その後、堰板を、連結し、堰板に、縦端太及び横端太に取着するようにした従来の型枠組み立て方法に比べて、本発明の型枠組み立て方法においては、堰板４に、角材を取り付ける作業が不用であるとともに、縦端太６ａは、単に、組立金具Ｋの凹部Ｋ’に挿入するだけであるので、型枠の組立作業に要する時間が短縮化されるとともに、堰板４のコストを低減化することができる。
【００３８】
角部を構成する堰板４ａ、４ａに取着されたレベル調整部材Ｈ１、Ｈ２、Ｈ３を用いて、角部を構成する堰板４ａ、４ａのレベル出しを行った後、或いは、桟木部材Ｂ２に配設された１つの堰板４に取着されたレベル調整部材Ｈを用いて、堰板４のレベル出しを行った後、角部を構成する堰板４ａ、４ａ及び桟木部材Ｂ２に配設された１つの堰板４と、角部を構成する堰板４ａ、４ａ及び桟木部材Ｂ２に配設された１つの堰板４に並設される堰板４とを、それらの垂直端面と上端面を揃え、組立金具Ｋにより連結するようにしたので、型枠を構成する堰板４のレベル出しを正確に行うことができる。
【００３９】
角部を構成する堰板４ａ、４ａに取着されたレベル調整部材Ｈ１、Ｈ２、Ｈ３を用いて、角部を構成する堰板４ａ、４ａのレベル出しを行った後、或いは、桟木部材Ｂ２に配設された１つの堰板４に取着されたレベル調整部材Ｈを用いて、堰板４のレベル出しを行った後、角部を構成する堰板４ａ、４ａ及び桟木部材Ｂ２に配設された１つの堰板４と、角部を構成する堰板４ａ、４ａ及び桟木部材Ｂ２に配設された１つの堰板４に並設される堰板４とを、それらの垂直端面と上端面を揃え、組立金具Ｋにより連結し、その後、角部を構成する堰板４ａ、４ａ及び桟木部材Ｂ２に配設された１つの堰板４に並設された堰板４に取着されたレベル調整部材Ｈによりレベル出しを行うようにしたので、型枠を構成する堰板４のレベル出しをより正確に行うことができる。
【００４０】
上述したようにして施工された建築物用壁構造は、図１６に示されているように、コンクリートＣが、堰板４としての木質系セメント板Ａによりサンドイッチ状に挟持された積層構造を有している。そして、木質系セメント板Ａは、断熱性能や遮音性能が高いので、従って、建築物用壁構造自体も、断熱性能や遮音性能が高く、更に、木質系セメント板Ａは、ビスや釘等の固着具に対する保持力が大きいので、建築物用壁構造に直接、仕上げ材を打ち付けることができる。特に、木質系セメント板として、嵩比重が、０．７以上である硬質木毛セメント板を用いると、このような硬質木毛セメント板は、曲げ強度や破壊強度が大きく、しかも、ビスや釘等の固着具に対する保持力が大きいので、建築物用壁構造の曲げ強度や破壊強度が更に大きくなるとともに、硬質木毛セメント板に打ち付けられたビスや釘等がより抜け難くなる。
【００４１】
図１７には、所定の間隔を置いて配置された堰板４としての木質系セメント板Ａ間に生コンクリートを充填し硬化させることにより、コンクリートＣが木質系セメント板Ａにより挟まれている積層体を形成し、その後、木質系セメント板Ａに、複数の無垢の木材片ｗ１を、ビスや釘等の固着具を用いて打ち付けることにより、無垢の木材片ｗ１からなる木材層Ｗが形成された建築物用壁構造が示されている。無垢の木材片ｗ１は、そのまま仕上げ内装材や仕上げ外装材として使用されるものである。
【００４２】
コンクリートＣの両側に、堰板４としての木質系セメント板Ａを配置するとともに、木質系セメント板Ａに、更に、無垢の木材片ｗ１を打ち付けて木材層Ｗを形成することにより、コンクリートに、グラスウール等の断熱材を貼り付けた従来の建築物用壁構造と同等の或いはそれ以上の断熱性能を有することができるとともに、木が有する調湿機能を十分に活用することができる。なお、図１７に示されているように、コンクリートＣの両側に位置する堰板４としての木質系セメント板Ａに、それぞれ、無垢の木材片ｗ１を打ち付けて、両側に２層の木材層Ｗを形成することにより、より断熱性能を上げることができるが、一方側の木質系セメント板Ａにのみ、無垢の木材片ｗ１を打ち付けることもできる。
【００４３】
無垢の木材片ｗ１としては、間伐材を利用することが、特に、有利である。従来、利用範囲が狭く限定されており、その処分が問題化している間伐材を利用することにより、資源の有効利用が促進できる。
【００４４】
また、仕上げ材を取り付けるための下地（骨組み）を組み、下地に石膏ボード等を取り付け、その後、下地に木板を留め付けるようにした従来の建築物用壁構造の施工方法とは異なり、保釘力のある木質系セメント板Ａに、無垢の木材片ｗ１を打ち付けるだけであるので、建築物用壁構造の施工時間が短縮化できるとともに、施工コストの低減化が実現できる。
【００４５】
更に、外気側に位置する木質系セメント板Ａに、無垢の木材片ｗ１を打ち付けるだけで、木質系セメント板Ａと相まって断熱性能の優れた木材層Ｗを外気側に形成することができるので、従来のように、外気側に下地（骨組み）を組む必要がなく、従って、従来、施工が難しく、しかも、高コストであった外気側への断熱材の取り付けを、簡単に、低コストで行うことができる。
【００４６】
なお、上述した実施例の無垢の木材片ｗ１としては、間伐材や廃棄される柱等を切削して形成された天然木材片を使用することが、資源の有効利用の点から好ましいが、ベニヤ板や合板等を使用することもできる。
【００４７】
【発明の効果】
本発明は、以上説明した構成を有しているので、以下に記載する効果を奏するものである。
【００４８】
コンクリートを挟持した木質系セメント板に、無垢の木材片を打ち付けて建築物用壁構造を構成したことにより、コンクリートに、グラスウール等の断熱材を貼り付けた従来の建築物用壁構造と同等の或いはそれ以上の断熱性能を有することができる。
【００４９】
仕上げ材を取り付けるための下地（骨組み）を組み、下地に石膏ボード等を取り付け、その後、下地に木板を留め付けるようにして形成された従来の建築物用壁構造とは異なり、保釘力のある木質系セメント板に、無垢の木材片を打ち付けただけであるので、建築物用壁構造の施工時間が短縮化できるとともに、施工コストの低減化が実現できる。
【図面の簡単な説明】
【図１】図１は本発明の建築物用壁構造の施工方法において使用される組立金具の斜視図である。
【図２】図２は本発明の建築物用壁構造の施工方法において使用されるレベル調整部材の斜視図である。
【図３】図３は本発明の建築物用壁構造の施工方法において、一例としての床スラブ上に配設された桟木の斜視図である。
【図４】図４は本発明の建築物用壁構造の施工方法における堰板の組み立て順序を説明するための堰板等の斜視図である。
【図５】図５は同じく本発明の建築物用壁構造の施工方法における堰板の組み立て順序を説明するための堰板等の斜視図である。
【図６】図６は同じく本発明の建築物用壁構造の施工方法における堰板の組み立て順序を説明するための堰板等の斜視図である。
【図７】図７は同じく本発明の建築物用壁構造の施工方法における堰板組み立て順序を説明するための堰板等の一部断面を含む正面図である。
【図８】図８は図７と同様の本発明の建築物用壁構造の施工方法における堰板組み立て順序を説明するための堰板等の一部断面を含む正面図である。
【図９】図９は図７と同様の本発明の建築物用壁構造の施工方法における堰板組み立て順序を説明するための堰板等の一部断面を含む正面図である。
【図１０】図１０は本発明の建築物用壁構造の施工方法において、堰板間に配置されるスペーサーの分解斜視図である。
【図１１】図１１は図７と同様の本発明の建築物用壁構造の施工方法における堰板組み立て順序を説明するための堰板等の一部断面を含む正面図である。
【図１２】図１２は本発明の建築物用壁構造の施工方法において使用されるスペーサーや分解されたフォームタイ等を含む部分斜視図である。
【図１３】図１３は本発明の建築物用壁構造の施工方法における縦端太やフォームタイが配設された型枠の斜視図である。
【図１４】図１４は本発明の建築物用壁構造の施工方法における縦端太や横端太等が配設された型枠の斜視図である。
【図１５】図１５は本発明の建築物用壁構造の施工方法における縦端太や横端太等が配設された型枠の別の実施例の堰板等の一部断面を含む正面図である。
【図１６】図１６は本発明の建築物用壁構造を構成する積層体の垂直断面図である。
【図１７】図１７は本発明の建築物用壁構造の垂直断面図である。
【符号の説明】
Ａ・・・・・・・・・・・木質系セメント板
Ｃ・・・・・・・・・・・コンクリート
Ｈ・・・・・・・・・・・レベル調整部材
Ｋ・・・・・・・・・・・組立金具
Ｎ・・・・・・・・・・・フォームタイ
Ｓ・・・・・・・・・・・スペーサー
Ｗ・・・・・・・・・・・木材層
ｗ１・・・・・・・・・・無垢の木材片
１・・・・・・・・・・・桟木
４・・・・・・・・・・・堰板
【図１】
2004027501.tif 000003
【図２】
2004027501.tif 000004
【図３】
2004027501.tif 000005
【図４】
2004027501.tif 000006
【図５】
2004027501.tif 000007
【図６】
2004027501.tif 000008
【図７】
2004027501.tif 000009
【図８】
2004027501.tif 000010
【図９】
2004027501.tif 000011
【図１０】
2004027501.tif 000012
【図１１】
2004027501.tif 000013
【図１２】
2004027501.tif 000014
【図１３】
2004027501.tif 000015
【図１４】
2004027501.tif 000016
【図１５】
2004027501.tif 000017
【図１６】
2004027501.tif 000018
【図１７】
2004027501.tif 000019